(57)【要約】      （修正有）【課題】交換用作業スペースを確保できる側で凹版やインク保持カップの交換を可能とすることにより、交換の作業性を改善したパッド印刷装置を提供する。【解決手段】容器１０には、出入口１０ａとは別に、容器内での固定状態を解除された凹版３０及びインク保持カップ２０の出し入れを可能とする開口１０ｂが形成されると共に、開口を常時は閉鎖する蓋１４が設けられている。開口は、容器内で保持された凹版及びインク保持カップを挟んで出入口１０ａとは反対側に設置されている。【選択図】図４
0003192163.tif 000002
【実用新案登録請求の範囲】
【請求項１】
印刷パターンを形成された凹版と、該凹版上を摺動して前記印刷パターンに印刷用インクを供給するべく該印刷用インクを保持するインク保持カップと、前記凹版及び前記インク保持カップを収納する容器と、該容器の出入口から容器外に出された前記凹版の印刷パターン上のインクを転移させて印刷対象物上に印刷する印刷用パッドとを備えたパッド印刷装置において、
前記容器には、前記出入口とは別に、前記容器内での固定状態を解除された前記凹版及びインク保持カップの出し入れを可能とする開口が形成されると共に、該開口を常時は閉鎖する蓋が設けられ、
該開口は、前記容器内で保持された前記凹版及びインク保持カップを挟んで前記出入口とは反対側に設置されていることを特徴とするパッド印刷装置。
【請求項２】
請求項１において、
前記凹版は、前記容器内で移動自在に支持され、印刷時は前記出入口を通って前記容器外の印刷用パッド側に移動し、印刷待機時は前記容器内に待機するように構成され、
前記インク保持カップは、前記凹版上に位置して前記凹版の移動に伴って、前記凹版上を摺接するように常時前記容器内に固定され、
前記開口は、前記凹版の移動方向の延長線上に設けられていることを特徴とするパッド印刷装置。
【考案の詳細な説明】
【技術分野】
【０００１】
本考案は、印刷用パッドを使用して印刷を行うパッド印刷装置に関する。
【背景技術】
【０００２】
下記特許文献１には、印刷パターンを形成された凹版と、凹版上の印刷パターンに印刷用インクを供給するインク保持カップと、印刷パターン上のインクを転移させて印刷対象物上に印刷する印刷用パッドとを備えたパッド印刷装置が開示されている。このパッド印刷装置では、印刷時には凹版上の印刷パターンから印刷用パッドの表面にインクを転移させ、印刷対象物上に印刷用パッドを押し付けてパッド印刷を行う。
【０００３】
パッド印刷装置を使用する過程では、凹版やインク保持カップを適宜交換する必要がある。凹版の交換は印刷内容の変更に伴う印刷パターンの変更時であり、インク保持カップの交換はインクの色や種類の変更時、又はインクの補充時である。一般的に、凹版やインク保持カップの交換は、パッド印刷装置における印刷用パッドが設置された側に凹版やインク保持カップを取り出して行われる。
【先行技術文献】
【特許文献】
【０００４】
【特許文献１】特開２０１２−１３５８８３号公報
【考案の概要】
【考案が解決しようとする課題】
【０００５】
例えば、複数のパッド印刷装置を組み合わせて印刷を行うシステムの場合、各パッド印刷装置は印刷用パッド設置側を内側として向かい合わせに配置される。そのため、凹版やインク保持カップの交換の作業スペースが確保できず、交換の作業性が悪い。
【０００６】
このような問題に鑑み本考案の課題は、凹版やインク保持カップの交換を必要とするパッド印刷装置において、交換用作業スペースを確保できる側で凹版やインク保持カップの交換を可能とすることにより、交換の作業性を改善することにある。
【課題を解決するための手段】
【０００７】
第１考案は、印刷パターンを形成された凹版と、該凹版上を摺動して前記印刷パターンに印刷用インクを供給するべく該印刷用インクを保持するインク保持カップと、前記凹版及び前記インク保持カップを収納する容器と、該容器の出入口から容器外に出された前記凹版の印刷パターン上のインクを転移させて印刷対象物上に印刷する印刷用パッドとを備えたパッド印刷装置において、前記容器には、前記出入口とは別に、前記容器内での固定状態を解除された前記凹版及びインク保持カップの出し入れを可能とする開口が形成されると共に、該開口を常時は閉鎖する蓋が設けられ、該開口は、前記容器内で保持された前記凹版及びインク保持カップを挟んで前記出入口とは反対側に設置されていることを特徴とする。
【０００８】
第１考案によれば、容器において、凹版及びインク保持カップの出し入れを可能とする開口が、容器における凹版の出入口、即ち印刷用パッド設置側とは反対側に設置されているため、例えば、印刷用パッド設置側を内側として向かい合わせに複数のパッド印刷装置を組み合わせて印刷を行うシステムの場合でも、凹版やインク保持カップの交換は、開口を通じて容易に行うことができる。即ち、印刷用パッド設置側であり、凹版の出入口側に凹版やインク保持カップの交換のための作業スペースが確保できない状況でも、作業スペースに関する制約のない開口側で交換作業を行って、交換の作業性を改善することができる。
【０００９】
第２考案は、上記第１考案において、前記凹版は、前記容器内で移動自在に支持され、印刷時は前記出入口を通って前記容器外の印刷用パッド側に移動し、印刷待機時は前記容器内に待機するように構成され、前記インク保持カップは、前記凹版上に位置して前記凹版の移動に伴って、前記凹版上を摺接するように常時前記容器内に固定され、前記開口は、前記凹版の移動方向の延長線上に設けられていることを特徴とする。
【００１０】
凹版は、印刷パターンを形成された部分の他に、印刷時にインク保持カップが印刷パターンを避けて位置するスペースが必要なため、一般的に、凹版は移動方向に長く形成される。第２考案によれば、開口が凹版の移動方向の延長線上に形成されているため、凹版が移動方向に長く形成されている場合でも、容器内で凹版の向きを変えることなく、凹版の長手方向を前後方向として凹版及びインク保持カップを出し入れすることができる。そのため、開口の大きさを必要最小限とすることができる。しかも、凹版及びインク保持カップを出し入れする際、容器内で凹版の向きを変える必要がないため交換の作業性を良くすることができる。
【図面の簡単な説明】
【００１１】
【図１】本考案の一実施形態の正面図である。
【図２】上記実施形態の側面図である。
【図３】上記実施形態における背蓋の正面図である。
【図４】上記実施形態における主要部の部分断面拡大側面図である。
【図５】上記実施形態における主要部の蓋付きの拡大背面図である。
【図６】上記実施形態における主要部の蓋無しの拡大背面図である。
【図７】上記実施形態における主要部の蓋の拡大側面図である。
【図８】上記実施形態における凹版及びインク保持カップの部分断面拡大側面図である。
【図９】上記実施形態における溶剤トレイの拡大側面図である。
【図１０】上記実施形態における固定プレートの拡大側面図である。
【図１１】システム化されたパッド印刷装置の概略平面図である。
【考案を実施するための形態】
【００１２】
各図は本考案の一実施形態を示す。この実施形態は、図１１のように、４台のパッド印刷装置１、１・・をターンテーブル７１の周りに各パッド印刷装置１を互いに向かい合わせに配置して使用するものである。
【００１３】
図１、２は、１台のパッド印刷装置１を示す。パッド印刷装置１の正面中央には印刷用パッド４０が配置され、その後方側には容器１０が配置されている。印刷用パッド４０は従来同様にシリコンゴム製である。また、図４、８のように、容器１０の中には、印刷パターン形成部３１を形成する凹版３０及びインク保持カップ２０が設けられ、インク保持カップ２０は容器１０に対し固定具により固定され、凹版３０は、インク保持カップ２０の下で図４で左右方向に移動可能に構成されている。印刷パターン形成部３１は凹版３０上にエッチングにて形成され、インク保持カップ２０が凹版３０上を摺動することにより印刷パターン形成部３１のエッチング部にインクを充填する。
【００１４】
凹版３０の下部には、図示を省略したが凹版３０移動用の機構が設けられており、凹版３０は容器１０内に収納された待機位置と、図２、４にて左方に移動して容器１０外に出た印刷位置との間で移動するようにされている。凹版３０が印刷位置にあるときは、凹版３０は印刷用パッド４０の下方であり、後述のクリーニング部５０の上方に位置する。容器１０の前側部には凹版３０が出入するための出入口１０ａが形成され、凹版３０が出入するとき以外は、その出入口１０ａを閉鎖するようにシャッター１３が設けられている。図４、１０の固定プレート１５は、凹版３０を上記移動機構に対して固定している。なお、図４では、容器１０の内部を判り易くするために容器１０の一部を破断して示している。
【００１５】
一方、図４、９のように、容器１０内には、溶剤トレイ１１が固定されており、その中にはインク保持カップ２０内で用いられている溶剤と同じ溶剤が貯留されている。溶剤トレイ１１の上方には、コットン支持部１２が設けられ、そのコットン支持部１２には、一部が溶剤に浸漬されたコットン（不図示）が容器１０内に溶剤を揮発させるように載置されている。こうすることにより容器１０内を常時溶剤の揮発成分が充満した状態に保ち、印刷パターン形成部３１上のインクが乾燥しないようにしている。
【００１６】
凹版３０及びインク保持カップ２０を挟んで、出入口１０ａとは反対側の容器１０の側壁には開口１０ｂが形成されており、必要時以外では、開口１０ｂは蓋１４により閉鎖されている。蓋１４は図示を省略したねじにより容器１０に取り付けられている。開口１０ｂは凹版３０及びインク保持カップ２０を出し入れできる大きさとされている。
【００１７】
図１、２のように、印刷用パッド４０の下方には、印刷用パッド４０の転写面をクリーニングするためのクリーニング部５０が設けられており、クリーニング部５０の前側には、印刷実施時に印刷対象物（不図示）を載置するための支持台７２が設けられている。クリーニング部５０は、下側ロール５１上に巻かれたクリーニングテープ５３をクリーニング台５４の上下両面上に引き出し、上側ロール５２上に巻き取るようにされている。図示を省略したが、支持台７２は、種々の大きさの印刷対象物を載置可能なように昇降機構の上に設けられている。
【００１８】
図２、３のように、パッド印刷装置１の背面側で容器１０の後側には、背蓋６０が被せられている。背蓋６０には開口６０ａが形成され、開口６０ａは容器１０の開口１０ｂに対応して設けられている。
【００１９】
パッド印刷装置１により印刷を行うときは、上述のように凹版３０が出入口１０ａから容器１０外に出て、凹版３０の印刷パターン形成部３１上に印刷用パッド４０が押し付けられる。その結果、印刷パターン形成部３１上のインクが印刷用パッド４０の表面上に移され、その後印刷用パッド４０は、印刷対象物への印刷のため、図２のように、支持台７２の上方位置４０Ａへ移動する。印刷時には、印刷用パッド４０は４０Ｂの位置に下降して支持台７２上の印刷対象物に対して印刷が行われる。その後は、印刷用パッド４０は、図２で実線で示すように、クリーニング部５０の上方位置へ移動する。このとき、凹版３０は容器１０内の待機位置に移動しており、印刷用パッド４０は、下降してクリーニングテープ５３に押圧され、印刷用パッド４０表面に残った余分なインクが除去される。
【００２０】
このようにして１台のパッド印刷装置１による印刷が行われると、図１１のように、支持台７２はターンテーブル７１により回転されて、隣接するパッド印刷装置１によって支持台７２上の印刷対象物に対して同様に印刷が行われる。図１１のようにシステム化されたパッド印刷装置１、１・・の場合は、一つの印刷対象物に対して４台のパッド印刷装置１、１・・により順次重ねて印刷が行われ、複雑で多色の印刷を行うことができる。
【００２１】
各パッド印刷装置１、１・・において、凹版３０、インク保持カップ２０、及び溶剤トレイ１１のいずれか、若しくは全てを交換する必要が生じたときは、各パッド印刷装置１、１・・の容器１０の蓋１４を開けて、それら交換したいものを開口１０ｂを通して取り出して交換を行うことができる。凹版３０を交換する際は、固定プレート１５のねじを緩めて固定プレート１５を取外して、次に凹版３０を取り出す。固定プレート１５のねじの緩め作業は、開口１０ｂから作業者が手を入れて行う。
【００２２】
以上のように、容器１０において、凹版３０、インク保持カップ２０、及び溶剤トレイ１１の出し入れを可能とする開口１０ｂが、容器１０における凹版３０の出入口１０ａ、即ち印刷用パッド４０設置側とは反対側に設置されている。そのため、図１１のように印刷用パッド４０設置側を内側として向かい合わせに複数のパッド印刷装置１、１・・を組み合わせて印刷を行うシステムの場合でも、凹版３０、インク保持カップ２０、及び溶剤トレイ１１の交換は、開口１０ｂを通じて行うことができる。従って、印刷用パッド４０設置側であり、凹版３０の出入口１０ａ側に凹版３０、インク保持カップ２０、及び溶剤トレイ１１の交換のための作業スペースが確保できない状況でも、作業スペースに関する制約のない開口１０ｂ側で交換作業を行って、交換の作業性を改善することができる。
【００２３】
また、凹版３０は、その移動方向に長く形成されており、開口１０ｂが凹版３０の移動方向の延長線上に形成されているため、容器１０内で凹版３０の向きを変えることなく、凹版３０の長手方向を前後方向として凹版３０及びインク保持カップ２０を出し入れすることができる。そのため、開口１０ｂの大きさを必要最小限とすることができる。しかも、凹版３０及びインク保持カップ２０を出し入れする際、容器１０内で凹版３０の向きを変える必要がないため交換の作業性を良くすることができる。
【００２４】
以上の説明では、一つの実施形態について説明したが、本考案は、この実施形態に限定されることなく、その考案思想の範囲内で各種形態で実施可能である。例えば、本考案は、図１１のように、複数のパッド印刷装置がシステム化された場合のみに限定されず、１台のみで使用されるパッド印刷装置に適用されてもよい。また、上記実施形態では溶剤トレイ１１を備えているが、この溶剤トレイ１１は備えていなくてもよい。
【符号の説明】
【００２５】
１      パッド印刷装置
１０    容器
１０ａ  出入口
１０ｂ  開口
１１    溶剤トレイ
１２    コットン支持部
１３    シャッター
１４    蓋
１５    固定プレート
２０    インク保持カップ
３０    凹版
３１    印刷パターン形成部
４０    印刷用パッド
５０    クリーニング部
５１    下側ロール
５２    上側ロール
５３    クリーニングテープ
５４    クリーニング台
６０    背蓋
６０ａ  開口
７１    ターンテーブル
７２    支持台
【図１】
0003192163.tif 000003
【図２】
0003192163.tif 000004
【図３】
0003192163.tif 000005
【図４】
0003192163.tif 000006
【図５】
0003192163.tif 000007
【図６】
0003192163.tif 000008
【図７】
0003192163.tif 000009
【図８】
0003192163.tif 000010
【図９】
0003192163.tif 000011
【図１０】
0003192163.tif 000012
【図１１】
0003192163.tif 000013